【手続補正書】
【提出日】平成25年12月20日(2013.12.20)
【手続補正１】
【補正対象書類名】特許請求の範囲
【補正対象項目名】全文
【補正方法】変更
【補正の内容】
【特許請求の範囲】
【請求項１】
無線通信システムにおいて改善移動局（ＡＭＳ）によって、レガシーサービング基地局からの領域変更を通したハンドオーバーを行う方法であって、前記方法は、
ターゲット改善基地局（ＡＢＳ）のレガシー領域（ＬＺｏｎｅ）から、領域変更時点に関する情報を含むレンジング応答メッセージを受信することと、
前記領域変更時点に関する情報に基づいて、改善移動局サポート領域（ＭＺｏｎｅ）へ前記領域変更を行うことであって、前記領域変更時点に関する情報は、領域変更情報（Ｚｏｎｅ  Ｓｗｉｔｃｈ  ＴＬＶ）の形態で前記レンジング応答メッセージに含まれる、ことと、
前記領域変更を行う前に受信された前記ＭＺｏｎｅのシステム情報に基づいて、前記ＭＺｏｎｅ内の網再進入を行うことであって、前記ＭＺｏｎｅの前記システム情報は、前記領域変更を行った後に前記ＭＺｏｎｅ内において前記ターゲットＡＢＳと通信するために使用される、ことと
を含む、方法。
【請求項２】
前記ＭＺｏｎｅの前記システム情報は、前記ＭＺｏｎｅに関する、二次スーパーフレームヘッダーサブパケット１（ＳＰ１）、二次スーパーフレームヘッダーサブパケット２（ＳＰ２）及び二次スーパーフレームヘッダーサブパケット３（ＳＰ３）のうちの少なくとも一つを含む、請求項１に記載の方法。
【請求項３】
前記領域変更を行うステップは、前記領域変更情報を用いて前記改善移動局サポート領域にレンジング要請メッセージ（ＡＡＩ＿ＲＮＧ−ＲＥＱ）を伝送するための帯域幅を要請するステップを含む、請求項１に記載の方法。
【請求項４】
前記領域変更情報は、前記改善移動局サポート領域で使用されるプリアンブルインデックス情報（ＭＺｏｎｅ  Ａ−Ｐｒｅａｍｂｌｅ  ｉｎｄｅｘ）、前記レガシー領域と前記改善移動局サポート領域との間の区分境界を示すタイムオフセット情報、前記領域変更の過程において前記改善移動局が前記レガシー領域との連結を維持するかどうかを指示する領域変更モード情報、前記改善移動局サポート領域で臨時的に前記改善移動局を識別するための臨時ステーション識別子（Ｔｅｍｐｏｒａｒｙ  ＳＴＩＤ）情報及び臨時ステーション識別子の有効時間を示すレンジング開始限界点情報からなる群から選択された少なくとも一つを含む、請求項１に記載の方法。
【請求項５】
広帯域無線アクセスシステムにおいて改善移動局（ＡＭＳ）の領域変更ベースのハンドオーバー手順を、ターゲット改善基地局（ＡＢＳ）によってサポートする方法であって、前記方法は、
レガシー領域（ＬＺｏｎｅ）を通して前記改善移動局に、領域変更時点に関する情報を含むレンジング応答メッセージ（ＲＮＧ−ＲＳＰ）を伝送することと、
前記ＡＭＳの前記領域変更が行われる前にＭＺｏｎｅのシステム情報を伝送することであって、前記領域変更時点に関する情報は、領域変更情報（Ｚｏｎｅ  Ｓｗｉｔｃｈ  ＴＬＶ）の形態で前記レンジング応答メッセージに含まれる、ことと、
前記ＡＭＳの前記領域変更が前記領域変更時点に関する情報に基づいて行われた後に、前記ＡＭＳを用いて、前記ＭＺｏｎｅ内の網再進入を行うことと
を含む、方法。
【請求項６】
前記領域変更情報は、前記改善移動局サポート領域で使用されるプリアンブルインデックス情報（ＭＺｏｎｅ  Ａ−Ｐｒｅａｍｂｌｅ  ｉｎｄｅｘ）、前記レガシー領域と前記改善移動局サポート領域との間の区分境界を示すタイムオフセット情報、前記領域変更の過程において前記改善移動局が前記レガシー領域との連結を維持するかどうかを指示する領域変更モード情報、前記改善移動局サポート領域で臨時的に前記改善移動局を識別するための臨時ステーション識別子（Ｔｅｍｐｏｒａｒｙ  ＳＴＩＤ）情報及び臨時ステーション識別子の有効時間を示すレンジング開始限界点情報からなる群から選択された少なくとも一つを含む、請求項５に記載の方法。
【請求項７】
前記領域変更モード情報が、前記領域変更の過程において前記改善移動局が前記レガシー領域との連結を維持しないことを指示する場合、前記基地局は、前記領域変更時点に関する情報に基づいて前記改善移動局に前記レガシー領域を通した資源割り当てを行わない、請求項６に記載の方法。
【請求項８】
前記レンジング応答メッセージを伝送するステップは、前記改善移動局が前記レガシー領域への網再進入を終了した後、非要請で行われる、請求項５に記載の方法。
【請求項９】
無線通信システムにおいてレガシーサービング基地局からの領域変更を通したハンドオーバーを行う改善移動局（ＡＭＳ）であって、前記改善移動局は、
プロセッサと、
前記プロセッサの制御によって外部環境との間で無線信号を送受信するように構成された無線通信（ＲＦ）モジュールと
を含み、
前記プロセッサは、ターゲット改善基地局（ＡＢＳ）のレガシー領域（ＬＺｏｎｅ）から領域変更時点に関する情報を含むレンジング応答（ＲＮＧ−ＲＳＰ）メッセージを受信することと、前記領域変更時点に関する情報に基づいて改善移動局サポート領域（ＭＺｏｎｅ）へと前記領域変更が行われるように制御することとを行うように構成され、
前記領域変更時点に関する情報は、領域変更情報（Ｚｏｎｅ  Ｓｗｉｔｃｈ  ＴＬＶ）の形態で前記レンジング応答メッセージに含まれ、
前記プロセッサは、前記領域変更を行う前に受信された前記ＭＺｏｎｅのシステム情報に基づいて、前記ＭＺｏｎｅ内の網再進入を行い、
前記ＭＺｏｎｅの前記システム情報は、前記領域変更を行った後に前記ＭＺｏｎｅ内において前記ターゲットＡＢＳと通信するために使用される、改善移動局。
【請求項１０】
前記ＭＺｏｎｅの前記システム情報は、前記ＭＺｏｎｅに関する、二次スーパーフレームヘッダーサブパケット１（ＳＰ１）、二次スーパーフレームヘッダーサブパケット２（ＳＰ２）及び二次スーパーフレームヘッダーサブパケット３（ＳＰ３）のうちの少なくとも一つを含む、請求項９に記載の改善移動局装置。
【請求項１１】
前記プロセッサは、前記領域変更情報を用いて前記改善移動局サポート領域にレンジング要請メッセージ（ＡＡＩ＿ＲＮＧ−ＲＥＱ）を伝送するための帯域幅を要請する方法で前記領域変更が行われるように制御する、請求項９に記載の改善移動局装置。
【請求項１２】
前記領域変更情報は、前記改善移動局サポート領域で使用されるプリアンブルインデックス情報（ＭＺｏｎｅ  Ａ−Ｐｒｅａｍｂｌｅ  ｉｎｄｅｘ）、前記レガシー領域と前記改善移動局サポート領域との間の区分境界を示すタイムオフセット情報、前記領域変更の過程において前記改善移動局が前記レガシー領域との連結を維持するかどうかを指示する領域変更モード情報、前記改善移動局サポート領域で臨時的に前記改善移動局を識別するための臨時ステーション識別子（Ｔｅｍｐｏｒａｒｙ  ＳＴＩＤ）情報及び臨時ステーション識別子の有効時間を示すレンジング開始限界点情報からなる群から選択された少なくとも一つを含む、請求項９に記載の改善移動局装置。
【手続補正２】
【補正対象書類名】明細書
【補正対象項目名】００４７
【補正方法】変更
【補正の内容】
【００４７】
併せて、前記領域変更情報は、前記改善端末サポート領域で使用されるプリアンブルインデックス（ＭＺｏｎｅ  Ａ−Ｐｒｅａｍｂｌｅ  ｉｎｄｅｘ）情報、前記レガシー領域と前記改善端末サポート領域の区分境界を示すタイムオフセット情報、前記領域変更の過程で前記改善端末装置が前記レガシー領域との連結を維持するかどうかを指示する領域変更モード（Ｚｏｎｅ  Ｓｗｉｔｃｈ  Ｍｏｄｅ）情報、前記改善端末サポート領域で臨時的に前記改善端末装置を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報のうち少なくとも一つを含むことができる。
本願明細書は、例えば、以下の項目も提供する。
（項目２Ａ）
広帯域無線接続システムでレガシーサービング基地局から改善端末（ＡＭＳ）が領域変更を通したハンドオーバーを行う方法において、
ターゲット改善基地局（ＡＢＳ）のレガシー領域（ＬＺｏｎｅ）から領域変更時点情報を含むレンジング応答メッセージ（ＲＮＧ−ＲＳＰ）を受信すること；及び
前記領域変更時点情報が指示する時点で改善端末サポート領域（ＭＺｏｎｅ）への前記領域変更を開始すること；を含み、
前記領域変更時点情報は、
前記領域変更を行うのに要求される領域変更情報（Ｚｏｎｅ  Ｓｗｉｔｃｈ  ＴＬＶ）の形態で前記レンジング応答メッセージに含まれることを特徴とする領域変更を通したハンドオーバー遂行方法。
（項目３Ａ）
前記領域変更を開始することは、
前記領域変更情報を用いて前記改善端末サポート領域のシステム情報を受信することであることを特徴とする、項目２Ａに記載の領域変更を通したハンドオーバー遂行方法。
（項目４Ａ）
前記領域変更を開始することは、
前記領域変更情報を用いて前記改善端末サポート領域にレンジング要請メッセージ（ＡＡＩ＿ＲＮＧ−ＲＥＱ）を伝送するための帯域幅を要請することであることを特徴とする、項目２Ａに記載の領域変更を通したハンドオーバー遂行方法。
（項目５Ａ）
前記領域変更情報は、
前記改善端末サポート領域で使用されるプリアンブルインデックス（ＭＺｏｎｅ  Ａ−Ｐｒｅａｍｂｌｅ  ｉｎｄｅｘ）情報、前記レガシー領域と前記改善端末サポート領域の区分境界を示すタイムオフセット情報、前記領域変更の過程で前記改善端末が前記レガシー領域との連結を維持するかどうかを指示する領域変更モード情報、前記改善端末サポート領域で臨時的に前記改善端末を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報のうち少なくとも一つを含む、項目２Ａに記載の領域変更を通したハンドオーバー遂行方法。
（項目７Ａ）
広帯域無線接続システムで改善端末（ＡＭＳ）の領域変更を通したハンドオーバーをターゲット改善基地局がサポートする方法において、
レガシー領域（ＬＺｏｎｅ）を通して前記改善端末に領域変更時点情報を含むレンジング応答メッセージ（ＲＮＧ−ＲＳＰ）を伝送すること；及び
前記領域変更時点情報が指示する時点で改善端末サポート領域（ＭＺｏｎｅ）を通して前記改善端末サポート領域のシステム情報を放送すること；を含み、
前記領域変更時点情報は、
前記領域変更を行うのに要求される領域変更情報（Ｚｏｎｅ  Ｓｗｉｔｃｈ  ＴＬＶ）の形態で前記レンジング応答メッセージに含まれることを特徴とする領域変更を通したハンドオーバーサポート方法。
（項目８Ａ）
前記領域変更情報は、
前記改善端末サポート領域で使用されるプリアンブルインデックス（ＭＺｏｎｅ  Ａ−Ｐｒｅａｍｂｌｅ  ｉｎｄｅｘ）情報、前記レガシー領域と前記改善端末サポート領域の区分境界を示すタイムオフセット情報、前記領域変更の過程で前記改善端末が前記レガシー領域との連結を維持するかどうかを指示する領域変更モード情報、前記改善端末サポート領域で臨時的に前記改善端末を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報のうち少なくとも一つを含む、項目７Ａに記載の領域変更を通したハンドオーバーサポート方法。
（項目９Ａ）
前記領域変更モード情報が、前記領域変更の過程で前記改善端末が前記レガシー領域との連結を維持しないことを指示する場合、
前記基地局は、前記領域変更時点情報が指示する時点から前記改善端末に前記レガシー領域を通した資源割り当てを行わないことを特徴とする、項目８Ａに記載の領域変更を通したハンドオーバーサポート方法。
（項目１０Ａ）
前記レンジング応答メッセージを伝送することは、
前記改善端末が前記レガシー領域への網再進入を終了した後、非要請で行われることを特徴とする、項目７Ａに記載の領域変更を通したハンドオーバーサポート方法。
（項目１２Ａ）
広帯域無線接続システムでレガシーサービング基地局から領域変更を通したハンドオーバーを行う改善端末（ＡＭＳ）装置において、
プロセッサ；及び
前記プロセッサの制御によって外部との間で無線信号を送受信するための無線通信（ＲＦ）モジュール；を含み、
前記プロセッサは、ターゲット改善基地局（ＡＢＳ）のレガシー領域（ＬＺｏｎｅ）から領域変更時点情報を含むレンジング応答メッセージ（ＲＮＧ−ＲＳＰ）を受信し、前記領域変更時点情報が指示する時点で改善端末サポート領域（ＭＺｏｎｅ）への前記領域変更を開始するように制御し、
前記領域変更時点情報は、
前記領域変更を行うのに要求される領域変更情報（Ｚｏｎｅ  Ｓｗｉｔｃｈ  ＴＬＶ）の形態で前記レンジング応答メッセージに含まれることを特徴とする改善端末装置。
（項目１３Ａ）
前記プロセッサは、
前記領域変更情報を用いて前記改善端末サポート領域のシステム情報を受信する方法で前記領域変更を開始するように制御することを特徴とする、項目１２Ａに記載の改善端末装置。
（項目１４Ａ）
前記プロセッサは、
前記領域変更情報を用いて前記改善端末サポート領域にレンジング要請メッセージ（ＡＡＩ＿ＲＮＧ−ＲＥＱ）を伝送するための帯域幅を要請する方法で前記領域変更を開始するように制御することを特徴とする、項目１２Ａに記載の改善端末装置。
（項目１５Ａ）
前記領域変更情報は、
前記改善端末サポート領域で使用されるプリアンブルインデックス（ＭＺｏｎｅ  Ａ−Ｐｒｅａｍｂｌｅ  ｉｎｄｅｘ）情報、前記レガシー領域と前記改善端末サポート領域の区分境界を示すタイムオフセット情報、前記領域変更の過程で前記改善端末装置が前記レガシー領域との連結を維持するかどうかを指示する領域変更モード情報、前記改善端末サポート領域で臨時的に前記改善端末装置を識別するための臨時ステーション識別子（Ｔｅｍｐｏｒａｒｙ  ＳＴＩＤ）情報及び臨時ステーション識別子の有効時間を示すレンジング開始限界点（Ｒａｎｇｉｎｇ  ｉｎｉｔｉａｔｉｏｎ  ｄｅａｄｌｉｎｅ）情報のうち少なくとも一つを含む、項目１２Ａに記載の改善端末装置。